(57)【要約】  【課題】  ソース信号から映像信号を生成する際に、高域成分の欠落を防ぐとともに、画素データの連続性を確保できる表示装置を提供する。  【解決手段】  映像信号に基づいて複数の視方向に対する個別の映像を同一画面上に表示可能な表示部７と、映像ソース信号を構成する複数の元画素データに基づいて複数の新たな画素データを変換生成する変換処理手段２００と、前記変換処理手段で変換処理された複数の新たな画素データから映像信号を生成するための所定数の画素データを抽出する抽出処理手段２００とを備えてなり、前記変換処理手段２００は、前記抽出処理手段２００による画素データの抽出を考慮して、任意の元画素データ及び少なくともその隣接元画素データに基づいて新たな画素データを変換生成する。  【選択図】  図６
2006154756.tif 000002
【特許請求の範囲】
【請求項１】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、
前記所定方向に配列された任意の元画素データをその隣接元画素データとの間で所定のフィルタ演算を施して平滑化処理して新たな画素データを生成する平滑化処理工程と、平滑化処理された画素データから圧縮率に基づいた数の画素データを前記映像画素データとして抽出する抽出処理工程とからなる映像信号処理方法。
【請求項２】
前記抽出処理工程において、前記平滑化処理工程で生成された新たな画素データから、それに対応する元画素データの隣接元画素データに対する輝度の差分に基づいて前記映像画素データが抽出される請求項１記載の映像信号処理方法。
【請求項３】
前記平滑化処理工程において、元画素データの隣接元画素データに対する輝度の差分と色差信号の位相差の何れかまたは双方に基づいてフィルタ演算を施す請求項１または２に記載の映像信号処理方法。
【請求項４】
前記平滑化処理工程において、平滑処理の対象となる隣接元画素データの画素数が前記圧縮率に基づいて決定される請求項１から３の何れかに記載の映像信号処理方法。
【請求項５】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、
前記所定方向に配列され圧縮率に基づいて決定された所定数の隣接元画素データと、直前に抽出された映像画素データの間でＲＧＢ成分毎に差分を求める比較工程と、前記比較工程で求められた差分に基づいて前記隣接元画素データのＲＧＢ成分の何れかを次の映像画素データのＲＧＢ成分の何れかとして抽出する抽出処理工程とからなる映像信号処理方法。
【請求項６】
前記抽出処理工程において、前記比較工程で求められたＲＧＢ成分毎の差分のうち、所定の閾値より小となる成分については、前記隣接元画素データの何れかの成分またはそれらの平均値が次の映像画素データの成分として抽出される請求項５記載の映像信号処理方法。
【請求項７】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、
前記所定方向に配列され圧縮率に基づいて決定された所定数の隣接元画素データと、直前に抽出された映像画素データの間で輝度の差分を求める比較工程と、前記比較工程で求められた差分に基づいて前記隣接元画素データの何れかを次の映像画素データとして抽出する抽出処理工程とからなる映像信号処理方法。
【請求項８】
前記抽出処理工程において、前記比較工程で求められた輝度の差分の何れもが所定の閾値未満であるときには、前記隣接元画素データの平均値が次の映像画素データとして抽出される請求項７記載の映像信号処理方法。
【請求項９】
前記抽出処理工程において、前記比較工程で直前に抽出された映像画素データと比較される前記隣接元画素データ間の輝度の差分の何れもが所定の閾値未満であるときには、前記隣接元画素データの平均値が次の映像画素データとして抽出される請求項７記載の映像信号処理方法。
【請求項１０】
前記抽出処理工程において、前記比較工程で求められた輝度の差分の差分が所定の閾値未満であるときには、前記隣接元画素データの平均値が次の映像画素データとして抽出される請求項７記載の映像信号処理方法。
【請求項１１】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、
前記所定方向に配列され圧縮率に基づいて決定された所定数の隣接元画素データと、直前に抽出された映像画素データの間で輝度の差分を求め、求めた差分が同一であるか、求めた差分の何れもが所定の閾値未満であるか、求めた差分の差分の何れもが所定の閾値未満であるときには、前記隣接元画素データと前記映像画素データの間で色差信号の位相差を求める比較工程と、前記比較工程で求められた位相差が最大となる元画素データを映像画素データとして抽出する抽出処理工程とからなる映像信号処理方法。
【請求項１２】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、
前記所定方向に配列され圧縮率に基づいて決定された所定数の隣接元画素データと、直前に抽出された映像画素データの間で色差信号の位相差を求める比較工程と、前記比較工程で求められた位相差に基づいて前記隣接元画素データの何れかを次の映像画素データとして抽出する抽出処理工程とからなる映像信号処理方法。
【請求項１３】
前記抽出処理工程において、前記比較工程で求められた位相差が何れも所定の閾値未満であるときに、前記隣接元画素データの色差信号から求まる彩度に基づいて前記隣接元画素データの何れかが次の映像画素データとして抽出される請求項１２記載の映像信号処理方法。
【請求項１４】
前記抽出処理工程において、前記隣接元画素データの色差信号から求まる互いの位相差が何れも所定の閾値未満であるときに、前記隣接元画素データの色差信号から求まる彩度に基づいて前記隣接元画素データの何れかが次の映像画素データとして抽出される請求項１２記載の映像信号処理方法。
【請求項１５】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、
前記所定方向に配列され圧縮率に基づいて決定された所定数の隣接元画素データと、直前に抽出された映像画素データの間で色差信号から求まる彩度の差分を求める比較工程と、前記比較工程で求められた彩度の差分に基づいて前記隣接元画素データの何れかを次の映像画素データとして抽出する抽出処理工程とからなる映像信号処理方法。
【請求項１６】
前記比較工程において、求められた彩度が何れも所定の閾値未満であるときに、前記隣接元画素データと直前に抽出された映像画素データの間で輝度の差分が求められ、前記抽出処理工程において、輝度の差分値に基づいて前記隣接元画素データの何れかが次の映像画素データとして抽出される請求項１３から１５の何れかに記載の映像信号処理方法。
【請求項１７】
前記抽出処理工程で抽出された前記映像画素データのうち、前記所定方向と直交する方向に隣接する所定数の映像画素データに対応する元画素データの相関の有無を判別する相関判別工程と、前記相関判別工程で相関があると判別されたときに各映像画素データに対して所定の第二フィルタ演算を施して平滑化処理して新たな映像画素データを生成する第二平滑化処理工程を備える請求項１から６の何れかに記載の映像信号処理方法。
【請求項１８】
前記相関判別工程において、前記元画素データの輝度または色差に基づいて相関の有無が決定され、前記第二平滑化処理工程において、前記元画素データの輝度または色差の何れかまたは双方に基づいて第二フィルタ演算を施す請求項１７記載の映像信号処理方法。
【請求項１９】
前記相関判別工程において、前記元画素データの輝度または色差に基づいて相関の有無が決定され、前記第二平滑化処理工程において、前記元画素データの色信号に基づいて第二フィルタ演算を施す請求項１７記載の映像信号処理方法。
【請求項２０】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、
前記所定方向に配列された任意の元画素データをその隣接元画素データとの間で所定のフィルタ演算を施して平滑化処理して新たな画素データを生成する平滑化処理手段と、平滑化処理された画素データから圧縮率に基づいた数の画素データを前記映像画素データとして抽出する抽出処理手段とを備えてなる映像信号処理装置。
【請求項２１】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、
前記所定方向に配列され圧縮率に基づいて決定された所定数の隣接元画素データと、直前に抽出された映像画素データの間でＲＧＢ成分毎に差分を求める比較手段と、前記比較手段で求められた差分に基づいて前記隣接元画素データのＲＧＢ成分の何れかを次の映像画素データのＲＧＢ成分の何れかとして抽出する抽出処理手段とを備えてなる映像信号処理装置。
【請求項２２】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、
前記所定方向に配列され圧縮率に基づいて決定された所定数の隣接元画素データと、直前に抽出された映像画素データの間で輝度の差分を求める比較手段と、前記比較手段で求められた差分に基づいて前記隣接元画素データの何れかを次の映像画素データとして抽出する抽出処理手段とを備えてなる映像信号処理装置。
【請求項２３】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、
前記所定方向に配列され圧縮率に基づいて決定された所定数の隣接元画素データと、直前に抽出された映像画素データの間で輝度の差分を求め、求めた差分が同一であるか、求めた差分の何れもが所定の閾値未満であるか、求めた差分の差分の何れもが所定の閾値未満であるときには、前記隣接元画素データと前記映像画素データの間で色差信号の位相差を求める比較手段と、前記比較手段で求められた位相差が最大となる元画素データを映像画素データとして抽出する抽出処理手段とを備えてなる映像信号処理装置。
【請求項２４】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、
前記所定方向に配列され圧縮率に基づいて決定された所定数の隣接元画素データと、直前に抽出された映像画素データの間で色差信号の位相差を求める比較手段と、前記比較手段で求められた位相差に基づいて前記隣接元画素データの何れかを次の映像画素データとして抽出する抽出処理手段とを備えてなる映像信号処理装置。
【請求項２５】
画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、
前記所定方向に配列され圧縮率に基づいて決定された所定数の隣接元画素データと、直前に抽出された映像画素データの間で色差信号から求まる彩度の差分を求める比較手段と、前記比較手段で求められた彩度の差分に基づいて前記隣接元画素データの何れかを次の映像画素データとして抽出する抽出処理手段とを備えてなる映像信号処理装置。
【請求項２６】
映像ソース信号を構成する複数の元画素データに基づいて複数の新たな画素データを変換生成する変換処理工程と、前記変換処理工程で変換処理された複数の新たな画素データから映像信号を生成するための所定数の画素データを抽出する抽出処理工程とを備え、
前記変換処理工程は、前記抽出処理工程による画素データの抽出を考慮して、任意の元画素データ及び少なくともその隣接元画素データに基づいて新たな画素データを変換生成する映像信号処理方法。
【請求項２７】
前記抽出処理工程は、前記変換処理工程で変換生成された新たな画素データに対応する元画素データとその隣接元画素データとの輝度の差分に基づいて、抽出すべき新たな画素データを決定する請求項２６記載の映像信号処理方法。
【請求項２８】
前記変換処理工程は、任意の元画素データと少なくともその隣接元画素データとの間で所定のフィルタ演算による平滑化処理を行なって新たな画素データを生成する請求項２６または２７記載の映像信号処理方法。
【請求項２９】
前記変換処理工程は、元画素データとその隣接元画素データとの輝度の差分と色差信号の位相差の何れかまたは双方に基づいて新たな画素データを生成する請求項２６から２８の何れかに記載の映像信号処理方法。
【請求項３０】
前記変換処理工程において、新たな画素データを変換生成する対象となる隣接元画素データの数は、前記抽出処理工程における画素データの抽出数によって決定される請求項２６から２９の何れかに記載の映像信号処理方法。
【請求項３１】
映像ソース信号を構成する複数の画素データから映像信号を生成するための所定数の元画素データを映像画素データとして抽出する抽出処理工程を備え、前記抽出処理工程は、所定数の隣接元画素データと、直前に抽出された映像画素データとのＲＧＢ成分毎の差分に基づき、前記隣接元画素データのＲＧＢ成分の何れかを次の映像画素データのＲＧＢ成分の何れかとして抽出する映像信号処理方法。
【請求項３２】
前記抽出処理工程は、前記ＲＧＢ成分毎の差分のうち、所定の閾値より小となる成分については、前記隣接元画素データの何れかの成分またはそれらの平均値が次の映像画素データの成分として抽出される請求項３１記載の映像信号処理方法。
【請求項３３】
映像ソース信号を構成する複数の元画素データから映像信号を生成するための所定数の元画素データを映像画素データとして抽出する抽出処理工程を備え、前記抽出処理工程は、所定数の隣接元画素データと、直前に抽出された映像画素データとの輝度の差分に基づき、前記隣接元画素データの何れかを抽出する映像信号処理方法。
【請求項３４】
前記抽出処理工程は、前記輝度の差分の何れもが所定の閾値未満であるときには、前記隣接元画素データの平均値を次の映像画素データとして抽出する請求項３３記載の映像信号処理方法。
【請求項３５】
前記抽出処理工程は、直前に抽出された映像画素データと比較される前記隣接元画素データ間の輝度の差分の何れもが所定の閾値未満であるときには、前記隣接元画素データの平均値を次の映像画素データとして抽出する請求項３３記載の映像信号処理方法。
【請求項３６】
前記抽出処理工程は、前記輝度の差分の差分が所定の閾値未満であるときには、前記隣接元画素データの平均値を次の映像画素データとして抽出する請求項３３記載の映像信号処理方法。
【請求項３７】
映像ソース信号を構成する複数の元画素データから映像信号を生成するための所定数の元画素データを映像画素データとして抽出する抽出処理工程を備え、前記抽出処理工程は、所定数の隣接元画素データと、直前に抽出された映像画素データとの色差信号の位相差に基づき、前記隣接元画素データの何れかを抽出する映像信号処理方法。
【請求項３８】
前記抽出処理工程は、前記色差信号の位相差の何れもが所定の閾値未満であるときには、前記隣接元画素データの色差信号から求まる彩度に基づいて該隣接画素データの何れかを次の映像画素データとして抽出する請求項３７記載の映像信号処理方法。
【請求項３９】
前記抽出処理工程は、前記色差信号の位相差の差分の何れもが所定の閾値未満であるときには、前記隣接元画素データの色差信号から求まる彩度に基づいて前記隣接元画素データの何れかを抽出する請求項３７記載の映像信号処理方法。
【請求項４０】
映像ソース信号を構成する複数の元画素データから映像信号を生成するための所定数の元画素データを映像画素データとして抽出する抽出処理工程を備え、  前記抽出処理工程は、所定数の隣接元画素データと、直前に抽出された映像画素データとの色差信号から求まる彩度の差分に基づき、前記隣接元画素データの何れかを抽出する映像信号処理方法。
【請求項４１】
前記抽出処理工程は、求められた彩度が何れも所定の閾値未満であるときには、前記隣接元画素データと前記直前に抽出された画素データとの輝度の差分に基づいて前記隣接元画素データの何れかを抽出する請求項３８から４０の何れかに記載の映像信号処理方法。
【請求項４２】
前記元画素データと、前記元画素データに隣接する隣接元画素データの隣接方向に直交する方向に隣接する所定数の直交隣接元画素データとの相関を判別し、相関があると判別されたときは、抽出された新たな画素データに所定の演算を施して第２の新たな画素データを生成する演算処理工程を有する請求項２６〜３２の何れかに記載の映像信号処理方法。
【請求項４３】
前記演算処理工程は、前記元画素データと前記直交隣接元画素データとの輝度の差分または色差信号の位相差に基づいて相関の有無を判別し、前記元画素データの輝度の差分または色差信号の位相差に基づいて演算処理を施す請求項４２記載の映像信号処理方法。
【請求項４４】
前記演算処理工程は、前記元画素データと前記直交隣接元画素データとの輝度の差分または色差信号の位相差に基づいて相関の有無を判別し、前記元画素データの輝度の差分、色差信号の位相差及び色信号の少なくとも１つに基づいて演算処理を施す請求項４２記載の映像信号処理方法。
【請求項４５】
映像ソース信号を構成する複数の元画素データに基づいて複数の新たな画素データを変換生成する変換処理手段と、前記変換処理手段で変換処理された複数の新たな画素データから映像信号を生成するための所定数の画素データを抽出する抽出処理手段とを備え、
前記変換処理手段は、前記抽出処理手段による画素データの抽出を考慮して、任意の元画素データ及び少なくともその隣接元画素データに基づいて新たな画素データを変換生成する映像信号処理装置。
【請求項４６】
映像ソース信号を構成する複数の画素データから映像信号を生成するための所定数画素データを映像画素データとして抽出する抽出処理手段を備え、前記抽出処理手段は、所定数の隣接画素データと、直前に抽出された映像画素データとのＲＧＢ成分毎の差分に基づき、前記隣接元画素データのＲＧＢ成分の何れかを次の映像画素データのＲＧＢ成分の何れかとして抽出する映像信号処理装置。
【請求項４７】
映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの輝度の差分に基づき、前記隣接元画素データの何れかを抽出する映像信号処理装置。
【請求項４８】
映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの色差信号の位相差に基づき、前記隣接元画素データの何れかを抽出する映像信号処理装置。
【請求項４９】
映像ソース信号を構成する複数の元画素データから映像信号を生成するための所定数の元画素データを映像画素データとして抽出する抽出処理手段を備え、  前記抽出処理手段は、所定数の隣接元画素データと、直前に抽出された映像画素データとの色差信号から求まる彩度の差分に基づき、前記隣接元画素データの何れかを抽出する映像信号処理装置。
【請求項５０】
映像信号に基づいて複数の視方向に対する個別の映像を同一画面上に表示可能な表示部と、映像ソース信号を構成する複数の元画素データに基づいて複数の新たな画素データを変換生成する変換処理手段と、前記変換処理手段で変換処理された複数の新たな画素データから映像信号を生成するための所定数の画素データを抽出する抽出処理手段とを備えてなる表示装置であって、
前記変換処理手段は、前記抽出処理手段による画素データの抽出を考慮して、任意の元画素データ及び少なくともその隣接元画素データに基づいて新たな画素データを変換生成する表示装置。
【請求項５１】
映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとのＲＧＢ成分毎の差分に基づき、前記隣接元画素データのＲＧＢ成分の何れかを次の映像画素データのＲＧＢ成分の何れかとして抽出する表示装置。
【請求項５２】
映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの輝度の差分に基づき、前記隣接元画素データの何れかを抽出する表示装置。
【請求項５３】
映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの色差信号の位相差に基づき、前記隣接元画素データの何れかを抽出する表示装置。
【請求項５４】
映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、  前記抽出処理手段は、所定数の隣接元画素データと、直前に抽出された映像画素データとの色差信号から求まる彩度の差分に基づき、前記隣接元画素データの何れかを抽出する表示装置。
【発明の詳細な説明】
【技術分野】
【０００１】
本発明は、単一の画面で複数の利用者各々に対して独立した異なる情報を実質的に同時に提供することのできる表示装置に関し、詳述すると、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法、映像信号処理装置、及び、表示装置に関する。
【背景技術】
【０００２】
これまでの主なディスプレイの開発は、観察者がディスプレイをどの方向から観察しても同じ良好な画質で見ることができるように、或いは、複数の観察者が同時に同じ情報を得ることができるように最適化されてきた。しかし、個々の観察者が同じディスプレイからの異なる情報を見ることができることが望ましい用途が数多くある。例えば、自動車の中で、ドライバーはナビゲーションデータを見ることを望み、隣席の同乗者は映画を見ることを望むということがあり得る。この例において２つのディスプレイが用いられる場合には、余分な場所をとり、コストを増大させることになる。
【０００３】
そこで近年、下記特許文献１及び特許文献２に示すように、一台の液晶ディスプレイで二画面を同時に表示することができ、例えば、運転席と助手席とから夫々異なる画面を見ることができる表示装置が開示されている。また、下記特許文献３及び４に示すように、二種類の映像を、同時に同一画面に表示することができる二画面表示装置が開示されている。
【０００４】
これらは、ディスプレイ画面は一つであるにもかかわらず、異なる方向から観察することにより、二人以上の異なる観察者が、少なくとも二つの異なる映像を同時に見ることが可能な表示装置である。
【０００５】
上述の表示装置の第一または第二の何れかの画素群を駆動するに際しては、当該画素群に対応させるべく、ソース信号を構成する１フレームの元画素データから所定方向に圧縮または抽出処理した映像画素データを生成し、生成された前記映像画素データで構成される映像信号に基づいて当該画素群を駆動する必要がある。例えば、車載用のＴＦＴ液晶表示装置では画素が８００×４８０ドットに構成されたものが主流であるが、このような表示装置の構成をベースとするマルチビュー表示装置では、少なくとも８００×４８０ドットに対応する元画素データから４００×４８０ドットに水平方向に圧縮または抽出処理して映像画素データを生成する必要がある。
【特許文献１】特開平６-１８６５２６号公報
【特許文献２】特開２０００-１３７４４３号公報
【特許文献３】特開平１１-３３１８７６号公報
【特許文献４】特開平０９-４６６２２号公報
【特許文献５】特開２００４−２０６０８９号公報
【発明の開示】
【発明が解決しようとする課題】
【０００６】
しかし、ソース信号を構成する元画素データを圧縮率に基づいて単に所定方向に間引き処理して映像画素データを生成するような圧縮処理方法では、間引き処理された元画像の情報が欠落する結果、画像情報の高域成分が欠落するのみならず画素データの連続性も失われるため、そのような映像信号に基づいて表示された映像はかなり見辛いものになるという虞があった。
【０００７】
本発明の目的は、上述の問題点に鑑み、ソース信号から映像信号を生成する際に、高域成分の欠落を防ぐとともに、画素データの連続性を確保できる映像信号処理方法、映像信号処理装置、及び、表示処理装置を提供する点にある。
【課題を解決するための手段】
【０００８】
上述の目的を達成するため、本発明による映像信号処理方法の第一の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、前記所定方向に配列された任意の元画素データをその隣接元画素データとの間で所定のフィルタ演算を施して平滑化処理して新たな画素データを生成する平滑化処理工程と、平滑化処理された画素データから圧縮率に基づいた数の画素データを前記映像画素データとして抽出する抽出処理工程とからなる点にある。
【０００９】
上述の構成によれば、平滑化処理工程によって元画素データとその隣接元画素データとの間で平滑化処理が行なわれるので、処理後の各画素データは隣接画素データの成分が加味された値として生成される。そのように生成された新たな画素から抽出処理工程において抽出された画素データには、それに対応する元画素に隣接する画素データが加味されているため、或る程度の高域成分が確保され、大きく画質が劣化するようなことが無く、或る程度の良好な視認性を確保することができるのである。ここに、画素データの演算はＲＧＢの色成分データ、またはＹＵＶの輝度、色差データに基づいて行なうことができる。
【００１０】
同第二の特徴構成は、上述の第一特徴構成に加えて、前記抽出処理工程において、前記平滑化処理工程で生成された新たな画素データから、それに対応する元画素データの隣接元画素データに対する輝度の差分に基づいて前記映像画素データが抽出される点にあり、このように構成することにより、例えば、輝度の差分が大なる画素群を抽出することにより高域成分を強く含む画素が選択され、鮮鋭度が保たれ、良好な視認性を確保することができるようになる。
【００１１】
同第三の特徴構成は、上述の第一または第二特徴構成に加えて、前記平滑化処理工程において、元画素データの隣接元画素データに対する輝度の差分と色差信号の位相差の何れかまたは双方に基づいてフィルタ演算を施す点にあり、このように構成することにより、画像のエッジ部分を強調し、または鈍らすことができ、元画像の特性に応じて圧縮処理後の画像の調子を整えることができるのである。例えば、輝度の差分が大の画素は濃淡エッジと識別でき、色差信号の位相差が大の画素は色の変化するエッジと認識でき、それらを強調するようにフィルタ係数を決定すると、抽出後の画像の鮮鋭度を高めることが可能になる。輝度と色の何れを重視するかにより、輝度の差分と色差信号の位相差の何れかまたは双方に基づいて決定することができる。
【００１２】
同第四の特徴構成は、上述の第一から第三の何れかの特徴構成に加えて、前記平滑化処理工程において、平滑処理の対象となる隣接元画素データの画素数が前記圧縮率に基づいて決定される点にある。つまり、圧縮処理によって欠落する画素成分を確保することが必要であるので、平滑処理の対象画素数を必要以上に多くしても鮮鋭度が確保できず、少な過ぎても高域成分を確保できないのである。そこで、圧縮率に基づいて対象画素数を決定することにより常に安定した結果が得られるようになる。
【００１３】
同第五の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、前記所定方向に配列され圧縮率に基づいて決定された所定数の隣接元画素データと、直前に抽出された映像画素データの間でＲＧＢ成分毎に差分を求める比較工程と、前記比較工程で求められた差分に基づいて前記隣接元画素データのＲＧＢ成分の何れかを次の映像画素データのＲＧＢ成分の何れかとして抽出する抽出処理工程とからなる点にある。
【００１４】
上述の構成によれば、圧縮率に基づいて決定された所定数の隣接元画素データと直前に抽出された映像画素データ（圧縮処理後の画素データ）とをＲＧＢ成分毎に比較して、その結果に基づいて新たな映像画素データが生成される。例えば、各色成分の差分の大なる成分を夫々選択して新たな映像画素データとすれば、色の大きく変化する画素成分を取り込むことができるので、鮮鋭性を確保することができるようになる。ここに、所定数とは、例えば間引き処理の対象となる画素数で、圧縮率が１／２のときは少なくとも隣接する２画素が隣接元画素データとなる。
【００１５】
同第六の特徴構成は、上述の第五特徴構成に加えて、前記抽出処理工程において、前記比較工程で求められたＲＧＢ成分毎の差分のうち、所定の閾値より小となる成分については、前記隣接元画素データの何れかの成分またはそれらの平均値が次の映像画素データの成分として抽出される点にあり、閾値を設定することにより、大きく変化する特異点に対して鮮鋭性を確保し、そうでない画素に対しては元画素をある程度忠実に再現することができるようになる。
【００１６】
同第七の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、前記所定方向に配列され圧縮率に基づいて決定された所定数の隣接元画素データと、直前に抽出された映像画素データの間で輝度の差分を求める比較工程と、前記比較工程で求められた差分に基づいて前記隣接元画素データの何れかを次の映像画素データとして抽出する抽出処理工程とからなる点にある。
【００１７】
上述の構成によれば、例えば所定数の隣接元画素データの中から輝度変化の大なる画素を映像画素として抽出する場合には、コントラストの効いた映像を得ることができ、輝度変化の小なる画素を映像画素として抽出する場合には、柔らかい映像を得ることができるようになる。
【００１８】
同第八の特徴構成は、上述の第七特徴構成に加えて、前記抽出処理工程において、前記比較工程で求められた輝度の差分の何れもが所定の閾値未満であるときには、前記隣接元画素データの平均値が次の映像画素データとして抽出される点にあり、閾値を設定することにより、大きく変化する特異点に対してコントラストを確保し、そうでない画素に対しては元画素をある程度忠実に再現することが出来るようになる。
【００１９】
同第九の特徴構成は、上述の第七特徴構成に加えて、前記抽出処理工程において、前記比較工程で直前に抽出された映像画素データと比較される前記隣接元画素データ間の輝度の差分の何れもが所定の閾値未満であるときには、前記隣接元画素データの平均値が次の映像画素データとして抽出される点にあり、直前に抽出された映像画素との輝度の差分にかかわらず、隣接元画素データ間の輝度の差分の何れもが所定の閾値未満、つまり大きく変わるものでないときには、それらの平均値を映像画素データとすることで滑らかな映像が得られるのである。
【００２０】
同第十の特徴構成は、上述の第七特徴構成に加えて、前記抽出処理工程において、前記比較工程で求められた輝度の差分の差分が所定の閾値未満であるときには、前記隣接元画素データの平均値が次の映像画素データとして抽出される点にあり、輝度の差分の差分が閾値以上のとき、つまり元画素間の輝度が大きく変化しているか否かが判別できるようになる。その結果に基づいてコントラストを確保し、或いは、滑らかな映像を得ることができるようになる。
【００２１】
同第十一の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、前記所定方向に配列され圧縮率に基づいて決定された所定数の隣接元画素データと、直前に抽出された映像画素データの間で輝度の差分を求め、求めた差分が同一であるか、求めた差分の何れもが所定の閾値未満であるか、求めた差分の差分の何れもが所定の閾値未満であるときには、前記隣接元画素データと前記映像画素データの間で色差信号の位相差を求める比較工程と、前記比較工程で求められた位相差が最大となる元画素データを映像画素データとして抽出する抽出処理工程とからなる点にある。
【００２２】
上述の構成によれば、輝度の変化が小さいときに、色の変化の大きな画素を新たな映像画素として抽出することにより、鮮鋭性の高い映像を確保することができるようになる。
【００２３】
同第十二の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、前記所定方向に配列され圧縮率に基づいて決定された所定数の隣接元画素データと、直前に抽出された映像画素データの間で色差信号の位相差を求める比較工程と、前記比較工程で求められた位相差に基づいて前記隣接元画素データの何れかを次の映像画素データとして抽出する抽出処理工程とからなる点にあり、これにより、色の変化する画素を抽出の判断対象とすることができ、映像画素から色の変化の欠落を回避することもできるようになるのである。
【００２４】
同第十三の特徴構成は、上述の第十二特徴構成に加えて、前記抽出処理工程において、前記比較工程で求められた位相差が何れも所定の閾値未満であるときに、前記隣接元画素データの色差信号から求まる彩度に基づいて前記隣接元画素データの何れかが次の映像画素データとして抽出される点にあり、映像画素との色の変化がそれほど顕著でないときに、彩度、つまり、色のパワーに基づいて映像画素データを抽出することにより、より好ましい映像が得られるようになる。
【００２５】
同第十四の特徴構成は、上述の第十二特徴構成に加えて、前記抽出処理工程において、前記隣接元画素データの色差信号から求まる互いの位相差が何れも所定の閾値未満であるときに、前記隣接元画素データの色差信号から求まる彩度に基づいて前記隣接元画素データの何れかが次の映像画素データとして抽出される点にあり、抽出対象となる隣接元画素データ間の色の差が無いときには、彩度を抽出基準とすることにより、より好ましい映像が得られるようになる。
【００２６】
同第十五の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、前記所定方向に配列され圧縮率に基づいて決定された所定数の隣接元画素データと、直前に抽出された映像画素データの間で色差信号から求まる彩度の差分を求める比較工程と、前記比較工程で求められた彩度の差分に基づいて前記隣接元画素データの何れかを次の映像画素データとして抽出する抽出処理工程とからなる点にあり、直前の映像画素に対して彩度が大きく変化するか否かを抽出基準にとることで、圧縮処理後の映像の鮮やかさを調整することができるようになる。
【００２７】
同第十六の特徴構成は、上述の第十三から第十五の何れかの特徴構成に加えて、前記比較工程において、求められた彩度が何れも所定の閾値未何であるときに、前記隣接元画素データと直前に抽出された映像画素データの間で輝度の差分が求められ、前記抽出処理工程において、輝度の差分値に基づいて前記隣接元画素データの何れかが次の映像画素データとして抽出される点にあり、これにより彩度を優先しながらも、人間が敏感に反応する輝度返還に対しても補償することができるようになる。
【００２８】
同第十七の特徴構成は、上述の第一から第六の何れかの特徴構成に加えて、前記抽出処理工程で抽出された前記映像画素データのうち、前記所定方向と直交する方向に隣接する所定数の映像画素データに対応する元画素データの相関の有無を判別する相関判別工程と、前記相関判別工程で相関があると判別されたときに各映像画素データに対して所定の第二フィルタ演算を施して平滑化処理して新たな映像画素データを生成する第二平滑化処理工程を備える点にあり、このように構成することにより、圧縮方向と直交する方向における画素の相関を確保して鮮鋭且つ滑らかな映像を確保することができるようになる。
【００２９】
同第十八の特徴構成は、上述の第十七特徴構成に加えて、前記相関判別工程において、前記元画素データの輝度または色差に基づいて相関の有無が決定され、前記第二平滑化処理工程において、前記元画素データの輝度または色差の何れかまたは双方に基づいて第二フィルタ演算を施す点にあり、好みに合わせて輝度または色差のエッジの処理を調整することができるようになる。たとえば、エッジ部で第二フィルタ係数を大に設定すれば鮮鋭性の高い映像が得られるようになる。
【００３０】
同第十九の特徴構成は、上述の第十七特徴構成に加えて、前記相関判別工程において、前記元画素データの輝度または色差に基づいて相関の有無が決定され、前記第二平滑化処理工程において、前記元画素データの色信号に基づいて第二フィルタ演算を施す点にある。
【００３１】
同第二十の特徴構成は、映像ソース信号を構成する複数の元画素データに基づいて複数の新たな画素データを変換生成する変換処理工程と、前記変換処理工程で変換処理された複数の新たな画素データから映像信号を生成するための所定数の画素データを抽出する抽出処理工程とを備え、前記変換処理工程は、前記抽出処理工程による画素データの抽出を考慮して、任意の元画素データ及び少なくともその隣接元画素データに基づいて新たな画素データを変換生成する点にある。
【００３２】
上述の構成によれば、変換処理工程によって元画素データとその隣接元画素データとの間で例えば平滑化処理のごとき所定の変換処理が行なわれるので、処理後の各画素データは隣接画素データの成分が加味された値として生成される。そのように生成された新たな画素から抽出処理工程において抽出された画素データには、それに対応する元画素に隣接する画素データが加味されているため、或る程度の高域成分が確保され、大きく画質が劣化するようなことが無く、或る程度の良好な視認性を確保することができるのである。ここに、画素データの演算はＲＧＢの色成分データ、またはＹＵＶの輝度、色差データに基づいて行なうことができる。
【００３３】
同第二十一の特徴構成は、上述の第二十特徴構成に加えて、前記抽出処理工程は、前記変換処理工程で変換生成された新たな画素データに対応する元画素データとその隣接元画素データとの輝度の差分に基づいて、抽出すべき新たな画素データを決定する点にある。
【００３４】
同第二十二の特徴構成は、上述の第二十または二十一特徴構成に加えて、前記変換処理工程は、任意の元画素データと少なくともその隣接元画素データとの間で所定のフィルタ演算による平滑化処理を行なって新たな画素データを生成する点にある。
【００３５】
同第二十三の特徴構成は、上述の第二十から二十二の何れかの特徴構成に加えて、前記変換処理工程は、元画素データとその隣接元画素データとの輝度の差分と色差信号の位相差の何れかまたは双方に基づいて新たな画素データを生成する点にある。
【００３６】
同第二十四の特徴構成は、上述の第二十から二十三の何れかの特徴構成に加えて、前記変換処理工程において、新たな画素データを変換生成する対象となる隣接元画素データの数は、前記抽出処理工程における画素データの抽出数によって決定される点にある。
【００３７】
同第二十五の特徴構成は、映像ソース信号を構成する複数の画素データから映像信号を生成するための所定数の元画素データを映像画素データとして抽出する抽出処理工程を備え、前記抽出処理工程は、所定数の隣接元画素データと、直前に抽出された映像画素データとのＲＧＢ成分毎の差分に基づき、前記隣接元画素データのＲＧＢ成分の何れかを次の映像画素データのＲＧＢ成分の何れかとして抽出する点にある。
【００３８】
同第二十六の特徴構成は、上述の第二十五特徴構成に加えて、前記抽出処理工程は、前記ＲＧＢ成分毎の差分のうち、所定の閾値より小となる成分については、前記隣接元画素データの何れかの成分またはそれらの平均値が次の映像画素データの成分として抽出される点にある。
【００３９】
同第二十七の特徴構成は、映像ソース信号を構成する複数の元画素データから映像信号を生成するための所定数の元画素データを映像画素データとして抽出する抽出処理工程を備え、前記抽出処理工程は、所定数の隣接元画素データと、直前に抽出された映像画素データとの輝度の差分に基づき、前記隣接元画素データの何れかを抽出する点にある。
【００４０】
同第二十八の特徴構成は、上述の第二十七特徴構成に加えて、前記抽出処理工程は、前記輝度の差分の何れもが所定の閾値未満であるときには、前記隣接元画素データの平均値を次の映像画素データとして抽出する点にある。
【００４１】
同第二十九の特徴構成は、上述の第二十七特徴構成に加えて、前記抽出処理工程は、直前に抽出された映像画素データと比較される前記隣接元画素データ間の輝度の差分の何れもが所定の閾値未満であるときには、前記隣接元画素データの平均値を次の映像画素データとして抽出する点にある。
【００４２】
同第三十の特徴構成は、上述の第二十七特徴構成に加えて、前記抽出処理工程は、前記輝度の差分の差分が所定の閾値未満であるときには、前記隣接元画素データの平均値を次の映像画素データとして抽出する点にある。
【００４３】
同第三十一の特徴構成は、映像ソース信号を構成する複数の元画素データから映像信号を生成するための所定数の元画素データを映像画素データとして抽出する抽出処理工程を備え、前記抽出処理工程は、所定数の隣接元画素データと、直前に抽出された映像画素データとの色差信号の位相差に基づき、前記隣接元画素データの何れかを抽出する点にある。
【００４４】
同第三十二の特徴構成は、上述の第三十一特徴構成に加えて、前記抽出処理工程は、前記色差信号の位相差の何れもが所定の閾値未満であるときには、前記隣接元画素データの色差信号から求まる彩度に基づいて該隣接画素データの何れかを次の映像画素データとして抽出する点にある。
【００４５】
同第三十三の特徴構成は、上述の第三十一特徴構成に加えて、前記抽出処理工程は、前記色差信号の位相差の差分の何れもが所定の閾値未満であるときには、前記隣接元画素データの色差信号から求まる彩度に基づいて前記隣接元画素データの何れかを抽出する点にある。
【００４６】
同第三十四の特徴構成は、映像ソース信号を構成する複数の元画素データから映像信号を生成するための所定数の元画素データを映像画素データとして抽出する抽出処理工程を備え、  前記抽出処理工程は、所定数の隣接元画素データと、直前に抽出された映像画素データとの色差信号から求まる彩度の差分に基づき、前記隣接元画素データの何れかを抽出する点にある。
【００４７】
同第三十五の特徴構成は、上述の第三十二から三十四の何れかの特徴構成に加えて、前記抽出処理工程は、求められた彩度が何れも所定の閾値未満であるときには、前記隣接元画素データと前記直前に抽出された画素データとの輝度の差分に基づいて前記隣接元画素データの何れかを抽出する点にある。
【００４８】
同第三十六の特徴構成は、上述の第二十から第二十五特徴構成に加えて、前記元画素データと、前記元画素データに隣接する隣接元画素データの隣接方向に直交する方向に隣接する所定数の直交隣接元画素データとの相関を判別し、相関があると判別されたときは、抽出された新たな画素データに所定の演算を施して第２の新たな画素データを生成する演算処理工程を有する点にある。
【００４９】
同第三十七の特徴構成は、上述の第三十六特徴構成に加えて、前記演算処理工程は、前記元画素データと前記直交隣接元画素データとの輝度の差分または色差信号の位相差に基づいて相関の有無を判別し、前記元画素データの輝度の差分または色差信号の位相差に基づいて演算処理を施す点にある。
【００５０】
同第三十八の特徴構成は、上述の第三十六特徴構成に加えて、前記演算処理工程は、前記元画素データと前記直交隣接元画素データとの輝度の差分または色差信号の位相差に基づいて相関の有無を判別し、前記元画素データの輝度の差分、色差信号の位相差及び色信号の少なくとも１つに基づいて演算処理を施す点にある。
【００５１】
本発明による映像信号処理装置の第一の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、前記所定方向に配列された任意の元画素データをその隣接元画素データとの間で所定のフィルタ演算を施して平滑化処理して新たな画素データを生成する平滑化処理手段と、平滑化処理された画素データから圧縮率に基づいた数の画素データを前記映像画素データとして抽出する抽出処理手段とを備えてなる点にある。
【００５２】
同第二の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、前記所定方向に配列され圧縮率に基づいて決定された所定数の隣接元画素データと、直前に抽出された映像画素データの間でＲＧＢ成分毎に差分を求める比較手段と、前記比較手段で求められた差分に基づいて前記隣接元画素データのＲＧＢ成分の何れかを次の映像画素データのＲＧＢ成分の何れかとして抽出する抽出処理手段とを備えてなる点にある。
【００５３】
同第三の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、前記所定方向に配列され圧縮率に基づいて決定された所定数の隣接元画素データと、直前に抽出された映像画素データの間で輝度の差分を求める比較手段と、前記比較手段で求められた差分に基づいて前記隣接元画素データの何れかを次の映像画素データとして抽出する抽出処理手段とを備えてなる点にある。
【００５４】
同第四の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、前記所定方向に配列され圧縮率に基づいて決定された所定数の隣接元画素データと、直前に抽出された映像画素データの間で輝度の差分を求め、求めた差分が同一であるか、求めた差分の何れもが所定の閾値未満であるか、求めた差分の差分の何れもが所定の閾値未満であるときには、前記隣接元画素データと前記映像画素データの間で色差信号の位相差を求める比較手段と、前記比較手段で求められた位相差が最大となる元画素データを映像画素データとして抽出する抽出処理手段とを備えてなる点にある。
【００５５】
同第五の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、前記所定方向に配列され圧縮率に基づいて決定された所定数の隣接元画素データと、直前に抽出された映像画素データの間で色差信号の位相差を求める比較手段と、前記比較手段で求められた位相差に基づいて前記隣接元画素データの何れかを次の映像画素データとして抽出する抽出処理手段とを備えてなる点にある。
【００５６】
同第六の特徴構成は、画面を構成する画素群が第一の画素群と第二の画素群に分散配置され、それらが互いに異なる映像信号に基づいて各別に駆動されることにより、二方向に異なる映像が同時に表示可能なマルチビュー表示装置に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理装置であって、前記所定方向に配列され圧縮率に基づいて決定された所定数の隣接元画素データと、直前に抽出された映像画素データの間で色差信号から求まる彩度の差分を求める比較手段と、前記比較手段で求められた彩度の差分に基づいて前記隣接元画素データの何れかを次の映像画素データとして抽出する抽出処理手段とを備えてなる点にある。
【００５７】
同第七の特徴構成は、映像ソース信号を構成する複数の元画素データに基づいて複数の新たな画素データを変換生成する変換処理手段と、前記変換処理手段で変換処理された複数の新たな画素データから映像信号を生成するための所定数の画素データを抽出する抽出処理手段とを備え、前記変換処理手段は、前記抽出処理手段による画素データの抽出を考慮して、任意の元画素データ及び少なくともその隣接元画素データに基づいて新たな画素データを変換生成する点にある。
【００５８】
同第八の特徴構成は、映像ソース信号を構成する複数の画素データから映像信号を生成するための所定数画素データを映像画素データとして抽出する抽出処理手段を備え、前記抽出処理手段は、所定数の隣接画素データと、直前に抽出された映像画素データとのＲＧＢ成分毎の差分に基づき、前記隣接元画素データのＲＧＢ成分の何れかを次の映像画素データのＲＧＢ成分の何れかとして抽出する点にある。
【００５９】
同第九の特徴構成は、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの輝度の差分に基づき、前記隣接元画素データの何れかを抽出する点にある。
【００６０】
同第十の特徴構成は、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの色差信号の位相差に基づき、前記隣接元画素データの何れかを抽出する点にある。
【００６１】
同第十一の特徴構成は、映像ソース信号を構成する複数の元画素データから映像信号を生成するための所定数の元画素データを映像画素データとして抽出する抽出処理手段を備え、  前記抽出処理手段は、所定数の隣接元画素データと、直前に抽出された映像画素データとの色差信号から求まる彩度の差分に基づき、前記隣接元画素データの何れかを抽出する点にある。
【００６２】
同第十二の特徴構成は、映像信号に基づいて複数の視方向に対する個別の映像を同一画面上に表示可能な表示部と、映像ソース信号を構成する複数の元画素データに基づいて複数の新たな画素データを変換生成する変換処理手段と、前記変換処理手段で変換処理された複数の新たな画素データから映像信号を生成するための所定数の画素データを抽出する抽出処理手段とを備えてなる表示装置であって、前記変換処理手段は、前記抽出処理工程による画素データの抽出を考慮して、任意の元画素データ及び少なくともその隣接元画素データに基づいて新たな画素データを変換生成する点にある。
【００６３】
本発明による表示装置の特徴構成は、映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとのＲＧＢ成分毎の差分に基づき、前記隣接元画素データのＲＧＢ成分の何れかを次の映像画素データのＲＧＢ成分の何れかとして抽出する点にある。
【００６４】
同第二の特徴構成は、映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの輝度の差分に基づき、前記隣接元画素データの何れかを抽出する点にある。
【００６５】
同第三の特徴構成は、映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、前記抽出処理手段は、所定数の隣接元画素データと、直前に抽出された映像画素データとの色差信号の位相差に基づき、前記隣接元画素データの何れかを抽出する点にある。
【００６６】
同第四の特徴構成は、映像信号に基づいて複数の視方向に対する個別の映像を同一画面上に表示可能な表示部と、映像ソース信号を構成する複数の元画素データから映像信号を生成するための所定数の元画素データを映像画素データとして抽出する抽出処理手段を備え、  前記抽出処理手段は、所定数の隣接元画素データと、直前に抽出された映像画素データとの色差信号から求まる彩度の差分に基づき、前記隣接元画素データの何れかを抽出する点にある。
【発明の効果】
【００６７】
以上説明した通り、本発明によれば、ソース信号から映像信号を生成する際に、高域成分の欠落を防ぐとともに、画素データの連続性を確保できる映像信号処理方法、映像信号処理装置、及び、表示装置を提供することができるようになった。
【発明を実施するための最良の形態】
【００６８】
以下、本発明を具現化する表示装置の基本的な実施の形態を図面に従って説明する。但し、本発明の技術的範囲は以下に記載する実施の形態に限定されず、特許請求の範囲に記載された発明とその均等物に及ぶものである。
【００６９】
図１は、本発明に係わるマルチビュー表示装置（以下、単に「表示装置」と記す。）の概念図である。図中、１は第１の映像ソース、２は第２の映像ソース、３は第１の映像ソースからの第１の画像データ、４は第２の映像ソースからの第２の画像データ、５は表示制御手段、６は表示データ、７は表示部（例えば液晶パネル等）、８は第１の映像ソース１に基づく第１の表示画像、９は第２の映像ソース２に基づく第２の表示画像、１０は表示部７に対して左側に位置する観察者（利用者）、１１は表示部７に対して右側に位置する観察者（利用者）である。
【００７０】
図1の概念図は、表示部７に対する観察者１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体に渡ってみることができることを概念的に示すものである。図１において、第１の映像ソース１は例えばＤＶＤプレーヤの映画画像やテレビ受信機の受信画像等、第２の映像ソース２は例えばカーナビゲーション装置の地図やルート案内画像等であり、それぞれの第１の映像データ３及び第２の映像データ４は表示制御手段５に供給され、それらが表示部７で実質的に同時に表示できるように処理される。
【００７１】
表示制御手段５から表示データ６が供給される表示部７は、後述する視差バリアを備えた液晶パネル等で構成される。表示部７の横方向の総画素の半数が第１の映像ソース１に基づく第１の表示画像８の表示に、残りの半数の画素が第２の映像ソース２に基づく第２の表示画像９の表示に使用される。表示部７に対して左側に位置する観察者１０には、第１の表示画像８に対応する画素のみが見え、第２の表示画像９は表示部７の表面に形成されている視差バリアによって遮られて実質的に見えない。一方、表示部７に対して右側に位置する観察者１１には、第２の表示画像９に対応する画素のみが見え、第１の表示画像８は視差バリアにより遮られて実質的に見えない。尚、視差バリアについては、例えば、特開平１０−１２３４６１号公報、特開平１１−８４１３１号公報に開示された構成を応用できる。
【００７２】
このような構成により、単一の画面で左右の利用者に異なる情報やコンテンツを提供することができる。もちろん、第１、第２の映像ソースが同じであれば、従来通り左右の利用者が同じ画像を見ることもできる。
【００７３】
図２は、本発明に係る表示装置の車両への搭載例を示す斜視図である。図中、１２は助手席、１３は運転席、１４はウインドシールド、１５は操作部、１６はスピーカである。
【００７４】
図１の表示装置の表示部７は、例えば図２に示すように、運転席１３と助手席１２とのほぼ中央のダッシュボード部分に配置される。表示装置に対する各種操作は、表示部７の表面に一体的に形成したタッチパネル（図示せず）や操作部１５又は、赤外線又は無線リモートコントローラ（図示せず）の操作によって行われる。車両の各ドアにはスピーカ１６が配置され、表示画像に連動した音声や警告音等が出力される。
【００７５】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２視方向（助手席側）から見ることができる画像は例えばテレビ受信画像やＤＶＤムービー画像である。従って、運転席１３の運転者がカーナビゲーションによる運転支援を受けるのと同時に助手席１２の同乗者はテレビやＤＶＤを楽しむことができる。しかもそれぞれの画像は例えば７インチの画面全体を使用して表示されるため、従来のマルチウインドウ表示のように画面サイズが小さくなることもない。つまり、運転者、同乗者にとっては、あたかも各々に独立した専用のディスプレイがあるかの如く、それぞれに最適な情報やコンテンツが提供されるのである。
【００７６】
図３は、表示部７の断面構造の概略図である。図中、１００は液晶パネル、１０１はバックライト、１０２は液晶パネルのバックライト側に設置された偏光板、１０３は液晶パネルの発光方向側の前面に配置された偏光板、１０４はＴＦＴ(Thin Film Transistor)基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２・１０３の間に挟んだ構成となっており、バックライト１０１からやや離隔して配設される。また、液晶パネル１００は、ＲＧＢ色（三原色）で構成される画素を有する。
【００７７】
液晶パネル１００の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これによって、運転者と同乗者に異なった表示を提供することが可能となる。つまり、運転者にはナビゲーションの地図情報を与え、同時に同乗者にはＤＶＤの映画等を見せることが可能となる。なお、視差バリア１０８、前記液晶パネルの各画素の構成を変更すれば、３方向等、複数方向に異なった画像を表示する構成も可能である。また、視差バリア自体を電気的に駆動可能な液晶シャッタ等で構成して視野角を可変するようにしてもよい。
【００７８】
図４は、表示パネルを正面から見た構造の概略図であり、図３は図４中のＡ−Ａ′断面である。図中、１０９は左側（助手席側）表示用の画素、１１０は右側（運転席側）表示用の画素である。図３及び図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されていてもよいし、ＲＧＢが複数混じった列として構成されていてもよい。
【００７９】
具体的には、例えば、前記表示部７において、右側（運転席側）と左側（助手席側）の２方向に異なる映像を表示させるためには、夫々の映像に対応するソース信号を構成する８００×４８０の画素を４００×４８０の画素に圧縮することで、前記表示部７の画素数である８００×４８０に対応した映像信号にするように構成できる。このとき、図１０に示すように、運転席側のソース信号については本来映像を表示すべきソース信号のうち奇数列のソース信号を間引き、また、助手席側のソース信号については偶数列のソース信号を間引く構成を採用できる。ただし、間引き方はこれに限定するものではなく、１画素を構成するＲ，Ｇ，Ｂの各要素単位に奇数列、偶数列で間引き処理してもよい。間引き処理により圧縮された夫々の映像ソースを列が交互になるように合成処理して最終の映像ソースが生成される。
【００８０】
このようにして表示部に表示された映像を右側（運転席側）または左側（助手席側）から眺めると、間引き処理によって元画像の画像情報の高域成分が欠落し、画素データの連続性も失われているので、そのような映像信号に基づいて表示された映像はかなり見辛いものになる。そこで、本発明では、制御手段（図６に符号２００で示される）によって、映像ソース信号を構成する複数の元画素データに基づいて複数の新たな画素データを変換生成する変換処理工程と、前記変換処理工程で変換処理された複数の新たな画素データから映像信号を生成するための所定数の画素データを抽出する抽出処理工程が実行されるように構成されている。ここで、前記変換処理工程は、前記抽出処理工程による画素データの抽出を考慮して、任意の元画素データ及び少なくともその隣接元画素データに基づいてフィルタ演算等を施すことによって新たな画素データを変換生成するように構成されているので、処理後の各画素データは隣接画素データの成分が加味された値として生成され、画質の劣化の程度が改善される。
【００８１】
図５はＴＦＴ基板１０４の概略を示す回路図である。１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。
【００８２】
図５に示すように、サブピクセル１２３は各データ線１１５〜１１８及び各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２及びデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【００８３】
前記複数のサブピクセルは、第１の画像データと第２の画像データの合成データもしくは、第１と第２の個々の画像データに基づいて、例えばデータ線１１５と１１７に第１の画素データ（左側画像表示用）を、またデータ線１１６と１１８に第２の画素データ（右側画像表示用）を送信することよって、第１の画像を表示する第１の画像データ群と第２の画像を表示する第２の画像データ群が形成される。
【００８４】
図６は、本発明に係わる表示装置の概要を示すブロック図であり、いわゆるAudio Visual Navigation 複合機への適用例である。図中、１２４はタッチパネル、２００は制御手段、２０１はＣＤ／ＭＤ再生部、２０２はラジオ受信部、２０３はＴＶ受信部、２０４はＤＶＤ再生、２０５はＨＤ（Hard Disk）再生部、２０６はナビゲーション部、２０７は分配回路、２０８は第１の画像調整回路、２０９は第２の画像調整回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像入力部、２２０はカメラ、２２１は明るさ検知手段、２２２は乗員検知手段、２２３はリア表示部、２２４はＥＴＣ車載器、２２５は通信ユニットである。
【００８５】
表示部７は、タッチパネル１２４、液晶パネル１００及びバックライト１０１から構成される。表示部７の液晶パネル１００は、これまでに述べてきたように、第１視方向として運転席側から見られる画像と、第２視方向として助手席側から見られる画像とを、実質的に同時に表示することが可能となっている。尚、表示部７には、液晶パネル以外のフラットパネルディスレイ、例えば有機ＥＬディスプレイパネル、プラズマディスプレイパネル、冷陰極フラットパネルディスプレイ等を用いることもできる。
【００８６】
制御手段２００は、各種ソース（ＣＤ／ＭＤ再生部２０１、ラジオ受信部２０２、ＴＶ受信部２０３、ＤＶＤ再生部２０４、ＨＤ再生部２０５及びナビゲーション部２０６）からの画像や音声は、制御手段２００からの指示に基づき左用に指定された映像ソースを２０８に、右用に指定されたソースを２０９に分配させる分配回路２０７を介して、画像であれば第１の画像調整回路２０８及び第２の画像調整回路２０９に、音声であれば音声調整回路２１０にそれぞれ分配される。そして、第１及び第２の画像調整回路２０８、２０９では、輝度や色調、コントラストなどが調整され、調整された各画像を画像出力部２１１にて、表示部７に表示させる。また音声調整回路２１０では各スピーカへの分配や音量、音声が調整され、調整された音声が、スピーカ１６から出力される。
【００８７】
制御手段２００は、第一の画像調整回路２０８、第二の画像調整回路２０９、及び画像出力部２１１を制御して、例えば、前記変換処理工程においては、水平方向に配列された元画素データに対して、任意の元画素データと少なくともその隣接元画素データとの間で所定のフィルタ演算による平滑化処理を行なって新たな画素データを生成する処理を全ての元画素データに対して施し、前記抽出処理工程においては、前記変換処理工程で変換生成された新たな画素データに対応する元画素データとその隣接元画素データとの輝度の差分に基づいて、映像信号を構成する新たな画素データを抽出処理するのである。このような映像信号処理方法によれば、例えば、変換された画素群から元画素の輝度の差分が大となる画素群を抽出することにより高域成分を強く含む画素を選択することができ、表示された映像の鮮鋭度を保ち、良好な視認性を確保することができる。
【００８８】
図７は画像出力部２１１の概略を示すブロック図である。図中、２２６は第一の書込回路、２２７は第二の書込回路、２２８はＶＲＡＭ（Video RAM）である。
【００８９】
画像出力部２１１は、例えば図７に示すように、第１の書込回路２２６と第２の書込回路２２７とＶＲＡＭ（Video RAM）２２８と表示パネル駆動部１１１とを備えている。例えば、第１の書込回路２２６は、第１の画像調整回路２０８で調整された画像データのうち奇数列に対応する画像データ（即ち、図１の第１の表示画像８用の画像データ）を、第２の書込回路２２７は、第２の画像調整回路２０９で調整された画像データのうち偶数列に対応する画像データ（即ち、図１の第２の表示画像９用の画像データ）をもとにし、それぞれＶＲＡＭ２２８における該当する領域に書き込む。また表示パネル駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでよく、その動作も通常の液晶表示装置の駆動回路の動作と同じである。また別の構成として、第１の画像データと第２の画像データを合成せずに、それぞれの画像データに基づいて、液晶表示パネルの対応する画素を駆動する第１の表示パネル駆動回路及び第２の表示パネル駆動回路を用いることも考えられる。
【００９０】
ここで、図６で示した各種ソースの一例について説明をすると、ＨＤ再生部２０５を選択した場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【００９１】
ナビゲーション部２０６は、ナビゲーションの為に利用される地図情報を記憶した地図情報記憶部を備え、ＶＩＣＳ情報受信部２１２、ＧＰＳ情報受信部２１３から情報を入手し、ナビゲーション動作の為の画像を作成し、表示させることができる。またＴＶ受信部２０３は、アンテナからセレクタ２１４を介して、アナログＴＶ放送波及びデジタルＴＶ放送波を受信する。
【００９２】
図８は制御手段２００の概略を示すブロック図である。図中、２２９はインターフェース、２３０はＣＰＵ、２３１は記憶部、２３２はデータ記憶部である。
【００９３】
尚、制御手段２００は分配回路２０７並びに各種ソースを制御し、選択された２つのソースもしくは１つのソースについて表示を行わせる。また制御手段２００は、これら各種ソースをコントロールするための操作メニュー表示を表示部７に表示させることも行っている。ここで、図８で示すように、制御手段２００はマイクロプロセッサなどで構成され、インターフェース２２９を介して、表示装置内の各部や各回路を統括的に制御しているＣＰＵ２３０を備えている。このＣＰＵ２３０には、表示装置の動作に必要な各種のプログラムを保持するＲＯＭからなるプログラム記憶部２３１と、各種のデータを保持するＲＡＭからなるデータ記憶部２３２とが設けられている。なお、ＲＯＭやＲＡＭ等は、ＣＰＵに内蔵されたものでも、外部に設けたものでも使用することが可能である。又、ＲＯＭはフラッシュメモリの様に電気的に書き換え可能な不揮発性メモリでもよい。
【００９４】
ユーザは、上記各種ソースのコントロールを、表示部７の表面に取り付けられているタッチパネル１２４や表示部７の周囲に設けられたスイッチ、もしくは音声認識等の入力操作や選択操作を操作部２１５によって行うことができる。またリモコン送受信部２１６を介して、リモコン２１７により入力もしくは選択操作をしてもよい。制御手段２００は、このタッチパネル１２４や操作部２１５の操作に従って、各種ソースを含めた制御を行っている。また、制御手段２００は、図２のように車両内に複数備え付けられたスピーカ１６の各音量等を、音声調整回路２１０を用いて制御することができるように構成されている。また制御手段２００は、メモリ２１８に画質設定情報やプログラム、車両情報等の各種設定情報を記憶させることも行っている。
【００９５】
図９はメモリ２１８の概略を示すブロック図である。図中、２３３は第１の画面ＲＡＭ、２３４は第２の画面ＲＡＭ２３４、２３５は画質設定情報記憶手段、２３６は対環境調整値保持手段である。
【００９６】
メモリ２１８は、例えば図９に示すように、使用者が設定した第１の画像および第２の画像の画質の調整値がそれぞれ書き込み可能な第１の画面ＲＡＭ２３３および第２の画面ＲＡＭ２３４を有する。また、第１の画像及び第２の画像の画質を調整する場合に、読み出すことができるプリセット値として各画質調整用に予め複数段階の画質調整値が記憶されている画質設定情報記憶手段２３５も有する。さらに車外の明るさ変化等の周囲環境変化に応じた画質を調整するために、周囲環境に対する第１の映像及び第２の映像の画質の調整値を保持する対環境調整値保持手段２３６を有している。ここで画質設定情報記憶手段２３５及び対環境調整値保持手段２３６は、フラッシュメモリなどの電気的書き換え可能不揮発性メモリ又はバッテリバックアップされた揮発性メモリにより構成される。
【００９７】
外部音声／画像入力部２１９に接続された、例えば後方監視用のカメラ２２０からの画像を表示部７に表示するようにしてもよい。なお、後方監視用カメラ２２０以外に、ビデオカメラ及びゲーム機等を外部音声／画像入力部２１９に接続してもよい。
【００９８】
制御手段２００は、明るさ検知手段２２１（例えば、車両のライトスイッチや光センサ）や乗員検知手段２２２（例えば、運転席や助手席に設けられる感圧センサ）により検知された情報を元に、音声の定位位置等の設定を変更させることが可能である。
【００９９】
２２３は車両の後席用に設けられたリア表示部であり、画像出力部２１１を介して、表示部７に表示される画像と同じもの、もしくは運転席用の画像か助手席用の画像の一方が表示可能である。
【０１００】
制御手段２００は、ＥＴＣ車載器２５０からの料金表示等を表示させることを行っている。また制御手段２００は、携帯電話などと無線接続するための通信ユニット２２５を制御し、これに関する表示がされるようにしてもよい。
【０１０１】
以下に、上述した表示装置に具現化され、映像ソース信号から映像信号を生成する際に、高域成分の欠落を防ぐとともに、画素データの連続性を確保できる映像信号処理方法、映像信号処理装置について詳述する。図１１に示すように、車両を目的地に誘導するナビゲーション装置Ｎと、地上波デジタル放送を受信する電波受信装置３０２と、ＤＶＤプレーヤ３３０と、前記ナビゲーション装置Ｎ、前記電波受信装置３０２、または前記ＤＶＤプレーヤ３３０の何れか二系統の映像ソース信号による表示画像を同時に表示可能なマルチビュー表示装置３２５と、前記マルチビュー表示部３２５を表示制御する映像信号処理装置３４０等が車両に搭載されている。即ち、マルチビュー表示部３２５と映像信号処理装置３４０によって表示装置が構成されている。
【０１０２】
前記ナビゲーション装置Ｎは、道路地図データを記憶した地図データ記憶手段３０５と、自車の位置情報を認識するＧＰＳ受信手段３０６と、ＧＰＳアンテナ３０６ａと、自車の走行状態を管理する自律航法手段３０７と、地図データに基づいて指定された目的地までの経路を探索する経路探索手段３０８と、地図上に自車の走行位置を表示する走行状態表示処理手段３０９と、各種の動作モードや動作条件を設定する操作部３２６等を備えて構成され、単一または複数のＣＰＵとその動作プログラムが格納されたＲＯＭ及びワーキングエリアに使用されるＲＡＭを備えて各ブロックが制御されるように構成され、指定された地点に自車を誘導するナビゲーション機能を有している。
【０１０３】
前記電波受信装置２は、受信アンテナ３２０と、前記受信アンテナ３２０を介して受信された伝送チャンネル（周波数帯域）を選局するチューナ３２１と、選局された受信信号からデジタル信号を取り出して誤り訂正処理を行ないＴＳ（トランスポートストリーム）パケットを出力するＯＦＤＭ復調部３２２と、ＴＳパケットのうち映像・音声パケットから音声信号を復号してスピーカ３２４に出力するとともに、映像信号を復号して表示部３２５に出力するデコーダ３２３を備えたデジタルテレビ受信機で構成されている。
【０１０４】
前記マルチビュー表示部３２５は、画面を構成する画素群が第一の画素群と第二の画素群に分散配置され、それらが互いに異なる映像信号に基づいて各別に駆動されることにより、二方向に異なる映像が同時に表示可能に構成され、図１２に示すように、ＴＦＴアレイ９１６を形成したＴＦＴ基板９１２とそれに対向して配置される対向基板９１４の間に液晶層９１３を挟持した一対の基板を２枚の偏光板９１１の間に配置した液晶パネルと、マイクロレンズと遮光スリットを形成した視差バリア層９１５を形成した視差バリア基板９１７とを一体形成して構成されている。
【０１０５】
前記ＴＦＴアレイ９１６は、図１３に示すように、データ線９２５と走査線９２４によって囲まれた領域を一単位とする複数の画素が形成され、各画素には液晶層９１３に電圧を印加する画素電極９２３と、それをスイッチング制御するＴＦＴ素子９２２が形成されている。走査線駆動回路９２１はＴＦＴ素子９２２の選択走査を行い、またデータ線駆動回路９２０は、画素電極９２３への印加電圧を制御する。制御回路９２６は走査線駆動回路９２１及びデータ線駆動回路９２０の駆動タイミングを制御する。
【０１０６】
前記画素は全体として８００×４８０ドット設けられ、一列置き（一データ線置き）に配列（奇数列と偶数列に分類）された第一の画素群（４００×４８０ドット）と第二の画素群の二つの画素群（４００×４８０ドット）で構成され、それぞれはソースの異なる映像信号に基づいて各別に駆動される。前記二つの画素群を通過した光は、それぞれ視差バリア層９１５によって異なる方向へ導かれ、或いは、特定方向の光は遮光されるため、空間上の表示面９１８近傍に限って、異なる方向へ異なる映像を表示することが可能となっている。尚、二つの画素群は一列置きに配列するものに限られるのではなく、画面内において分散配置されていればよい。
【０１０７】
前記マルチビュー表示部３２５は、運転席と助手席の中央部のフロントパネルに設置され、運転席側から観察される映像と助手席側から観察される映像が異なるように表示することが可能な構成となっている。例えば、助手席側では前記電波受信装置３０２からの映像情報が観察される一方で、運転者席側では前記ナビゲーション装置Ｎのディスプレイとして使用が可能である。
【０１０８】
前記映像信号処理装置３４０は、図１０に示したように、ソース信号を構成する１フレームの元画素データを所定方向（ここでは、水平方向）に抽出処理して映像画素データを生成し、生成された映像画素データで構成される映像信号に基づいて前記マルチビュー表示部３２５の第一または第二の何れかの画素群を駆動する装置で、図１１に示すように、上述した複数の映像ソース信号（以下、単に「ソース信号」とも記す。）から各画素群へ供給するソース信号を選択するソース信号選択出力手段３４４と、選択された二系統のソース信号の夫々を構成する１フレームの元画素データを表示部３２５の各画素群の画素に対応付けるべく水平方向に５０％の圧縮率で圧縮処理して１フレームの映像画素データに変換処理する圧縮処理手段３４６と、圧縮処理後の夫々の映像信号を出力して前記マルチビュー表示部３２５を駆動する映像信号出力手段３４１と、前記ソース信号選択出力手段３４４によるソース信号の選択基準を設定するモード切替手段としての操作部３４５等を備えて構成されている。
【０１０９】
前記操作部３４５は、前記マルチビュー表示部３２５の表示画面に設けられたタッチパネルと前記表示画面に表示される選択キーにより入力部が具現化され、夫々の画素群への映像の表示のオン／オフ操作、ソース信号の選択操作等が行われる。尚、操作部３４５は、表示画面上に設けられる構成に限定されるものではない。
【０１１０】
前記圧縮処理手段３４６は、前記ソース信号選択出力手段３４４から供給される二系統のソース信号に対して、所定方向（ここでは水平方向）に配列された任意の元画素データとその隣接元画素データとの間で所定の画像変換処理、例えば、フィルタ演算による平滑化処理等を行なって前記元画素データに対応する新たな画素データを生成する変換処理手段の一例である平滑化処理手段３４３と、平滑化処理された画素データから圧縮率に基づいた所定数の画素データを前記映像画素データとして抽出する抽出処理手段３４２とを備えて構成されている。
【０１１１】
前記平滑化処理手段３４３は、図１４（ａ），（ｂ）に示すように、ソース信号の１フレームを構成する元画素データのうち、水平方向に配列された任意の元画素とそれに隣接する隣接元画素の３画素単位で、１：２：１のフィルタ係数を掛けて加算した値を係数和４で除すことにより新たな画素を生成するローパスフィルタ処理、つまり平滑処理工程を実行する。即ち、中心画素を重視しながら左右の隣接画素の影響を加味した新たな画素データが生成されるのである。ここに、第一番目の画素は元画素データがそのまま採用される。
【０１１２】
尚、元画素とはソース信号を構成する画素で、前記表示部３２５の左側或いは右側の何れか一方の視方向に表示される画素を指し、上述のフィルタ処理により隣接画素の値を加味した映像画素の候補として変換処理される。実際に表示に使用される画素数は元画素数の半分であるから、奇数画素或いは偶数画素が採用されることになる。従って、図１４（ｂ）に示すように、本例では例えば、従来採用されなかった偶数画素の成分データが反映された奇数画素が映像画素として選択される。
【０１１３】
前記抽出処理手段３４２は、図１４（ｂ）に示すように、新たに生成された画素のうち、偶数配列の画素または奇数配列の画素の何れかの画素群を１フレームに亘って抽出することにより前記映像画素データを生成、つまり抽出工程を実行する。このようにして生成された映像画素データは、図１５（ｂ）に示すように、単に元画素から偶数配列の画素または奇数配列の画素の何れかの画素群を１フレームに亘って抽出することによって表示部３２５に表示された図１５（ａ）に示すような映像に比べて、画素間のデータの変化が大きいことを示す高周波成分が残されるので、大きく画質が劣化するようなことが無く、或る程度の良好な視認性を確保することができるのである。ここに、画素データの変換処理のための演算はＲＧＢの色成分データ、またはＹＵＶの輝度、色差データに基づいて行なうことができ、その何れを対象とするものであってもよい。尚、図１５では実際に観察者が見たときの映像を模擬的に示すものであり、変換処理を行なわない元画素データから抽出された映像画素データにより表示部に表示された映像を示す図１５（ａ）では、高周波成分が欠落するため、元の映像から重要なエッジ情報が欠落した状態として見える。図１５（ｂ）では、隣接画素の情報が抽出画素に加味されるため、元映像の凡そを認識できるようになる。
【０１１４】
また、前記抽出処理手段３４２による偶数配列の画素または奇数配列の画素の何れかの画素群の抽出処理に際しては、図１６に示すように、元画素データに隣接する元画素データの輝度または輝度に相当する値（ＲＧＢの平均値等）と元画素データの輝度または輝度に相当する値（ＲＧＢの平均値等）との差分に基づいて偶数または奇数の何れかの画素群を選択することとしてもよい。
【０１１５】
即ち、水平方向に配列されている元画素とその左右に隣接する元画素との輝度の差分を求める処理を１フレームに亘って行ない、偶数画素群と奇数画素群で差分を加算し、その値が大なる方の画素群を選択するようにしてもよく、偶数画素群と奇数画素群で各差分が所定の閾値を超える画素（特異点）数が多い方の画素群を抽出するものであってもよい。このように構成することにより、輝度変化の大きな画素が選択されることになり、高域成分を強く含む画素が選択され、鮮鋭度が保たれ、良好な視認性を確保することができるようになる。このプロセスを実現するブロック回路を図１７に示す。このような抽出処理、つまり偶数画素群と奇数画素群の何れを選択するかの判断は毎フレーム行なう必要が無く、図１８に示すように、所定フレーム単位に行なってもよい。
【０１１６】
また、前記平滑化処理手段３４３により採用されるフィルタ係数は固定されるものに限らず、元画素に隣接する元画素の輝度と元画素の輝度の変化量に基づいて切り替えるように構成してもよい。例えば、図１９（ａ），（ｂ）に示すように、元画素と隣接元画素の輝度の差分が何れも所定の閾値を超えるときには、１：２：２のフィルタ係数を用いてローパスフィルタ処理を行ない、その他のときには、１：２：１のフィルタ係数を用いてローパスフィルタ処理を行なうことにより映像画素の候補画素を獲得するように構成することができる。図２０は１フレームの元画素の水平同期タイミングで行なわれるフィルタ処理のフローである。即ち、中心画素データが大きな山または谷となるときには一方の隣接画素の影響を強めたフィルタ係数を採用し、そうでないときには通常のフィルタ係数を採用するものである。尚、フィルタ係数の具体的値はこれらの値に限定されるものではなく、適宜適切な値を可変設定することができる。
【０１１７】
さらに、前記平滑化処理工程において、前記フィルタ係数が、元画素データに隣接する元画素データの輝度（Ｙ信号）と元画素データの輝度（Ｙ信号）の差分と、それら間の色差信号（Ｃｂ，Ｃｒ信号）の位相差の何れかまたは双方に基づいて決定されるように構成することができ、これにより、輝度または色の大きな変化に基づいてその影響を取り込んだ処理が可能になり、その結果、映像の鮮鋭性を確保することができるようになる。例えば、図２１は、先ず輝度成分によってフィルタ係数が選択され、このときに通常のフィルタ係数（１：２：１）が選択されても、色差信号の位相差が閾値より大となるときにはフィルタ係数（１：２：２）が選択されるように構成することができる。この場合において輝度成分による選択と色差信号の位相差による選択の手順を入れ替えて構成するものであってもよい。
【０１１８】
同様に、水平方向に３画素単位でフィルタ処理する際に、図２２（ａ），（ｂ）、図２３に示すように、フィルタ係数（α：２：β）のα（α＝１ｏｒ０）、β（β＝１ｏｒ２）の値を、任意の元画素の左右に位置する画素を夫々中心としてその両隣の元画素との輝度（Ｙ信号）の差分と色差信号（Ｃｂ，Ｃｒ信号）の位相差の何れかまたは双方に基づいて決定するように構成するものであってもよい。例えば３番目から５番目の３画素に基づいて４番目の元画素を変換処理する場合、３番目の元画素に対するフィルタ係数αを決定する際には、２番目の元画素と３番目の元画素の輝度の差分及び３番目と４番目の元画素の輝度の差分が共に所定の閾値よりも大であればフィルタ係数αを０に、そうでないときにはノーマルの１に決定し、５番目の元画素に対するフィルタ係数βを決定する際には、４番目の元画素と５番目の元画素の輝度の差分及び５番目の元画素と６番目の元画素の輝度の差分が共に所定の閾値よりも大であればフィルタ係数βを２に、そうでないときにはノーマルの１に決定し、通常のフィルタ係数（１：２：１）に決定されたときには、さらに対応する元画素について色差信号（Ｃｂ，Ｃｒ信号）の位相差が共に所定の閾値より大であるか否かを判断してフィルタ係数α，βを決定するものである。この場合も、輝度成分による選択と色差信号の位相差による選択の手順を入れ替えて構成することができる。この場合も、変換された画素の奇数番目または偶数番目の何れかの画素が映像画素として抽出される。
【０１１９】
上述した平滑化処理工程において、平滑処理の対象となる隣接元画素データの画素数は左右の各１画素に制限されるものではなく、圧縮率に基づいて決定されるものである。抽出処理によって欠落する画素成分を確保することが必要であるので、平滑処理の対象画素数を必要以上に多くしても鮮鋭度が確保できず、少な過ぎても高域成分を確保できないのである。そこで、圧縮率に基づいて対象画素数を決定することにより常に安定した結果が得られるようになるのである。
【０１２０】
以下、さらに、別実施形態を説明する。上述した実施形態では、圧縮処理手段３４６が平滑化処理手段３４３と抽出処理手段３４２とで構成されるものを説明したが、図３３に示すように、圧縮処理手段３４６が、所定方向に配列され圧縮率に基づいて決定された所定数の隣接元画素データと、直前に抽出された映像画素データの間でＲＧＢ成分毎に差分を求める比較手段３４３´と、前記比較手段３４３´で求められた差分に基づいて前記隣接元画素データのＲＧＢ成分の何れかを次の映像画素データのＲＧＢ成分の何れかとして抽出する抽出処理手段３４２とを備えて構成されるものであってもよい。
【０１２１】
例えば、前記比較手段３４３´で実行される比較工程において、図２４（ａ），（ｂ）に示すように、水平方向に配列され圧縮率に基づいて決定された所定数の隣接元画素データ（ここでは５０％の圧縮率で２画素を隣接画素データ数とする）と、前記抽出処理手段３４２により直前に抽出された映像画素データ（ここでは、最初の映像画素データは１番目の元画素データがそのまま抽出される）の間でＲＧＢ成分毎に夫々差分を求め、抽出処理工程では、前記比較工程で求められた差分に基づいて前記隣接元画素データのうちからＲ成分の差分の大なる値、Ｇ成分の差分の大なる値、Ｂ成分の差分の大なる値を個別に抽出して新たな映像画素とするのである。各色成分のうち差分の大なる成分を夫々選択して新たな映像画素データとするので、色の大きく変化する画素成分を取り込むことができ、鮮鋭性を確保することができるのである。
【０１２２】
前記抽出処理工程において、前記比較工程で求められたＲＧＢ成分毎の差分のうち、所定の閾値より小となる成分については、前記隣接元画素データの何れかの成分またはそれらの平均値が次の映像画素データの成分として抽出されるように構成することができ、これにより大きな変化を伴なう画素を特異点として抽出することが可能となる。
【０１２３】
上述した何れかの圧縮処理手段３４６において、前記抽出処理手段３４２によって抽出された映像画素データのうち、水平方向と直交する垂直方向に隣接する所定数の映像画素データに対応する元画素データの相関の有無を判別する相関判別手段と、前記相関判別手段で相関があると判別されたときに各映像画素データに対して所定の第二フィルタ演算を施して平滑化処理して新たな映像画素データを生成する第二平滑化処理手段を備えることにより、圧縮方向と直交する方向における画素の相関を確保して鮮鋭且つ滑らかな映像を確保することができるようになる。
【０１２４】
例えば、図２５（ａ）に示すように、水平方向に沿ったｎラインとｎ＋１ラインに存在する元画素データのうち、垂直方向に隣接する元画素間で輝度の差分を求め、その値が相関の有無を判断する予め決定された所定の閾値よりも小であるときに相関有と判断して、相関が認められるときにはｎラインとｎ＋１ライン間の対応する映像画素間の平均値をｎ＋１ラインの新たな映像画素として変換処理し、相関が無いときには抽出処理手段によって抽出された映像画素をそのまま出力することにより、映像画素の垂直方向のスムージング処理を行なうことができる。同図（ｂ）はその際の回路ブロック構成図である。尚、変換処理は隣接する２ライン間に限るものではなく、３ライン以上の複数のライン間で行なうものであってもよい。
【０１２５】
また、前記相関判別手段における相関の有無の判別は輝度のみならず、前記元画素データの輝度または色差の位相差の何れかまたは双方に基づいて判別することが可能で、前記第二平滑化処理手段において、前記第二フィルタ係数が、前記元画素データの輝度または色差の何れかまたは双方に基づいて決定されるように構成することも可能である。このようにすれば好みに合わせて垂直方向における輝度または色差のエッジの処理を調整することができるようになる。
【０１２６】
例えば、エッジ部で第二フィルタ係数を大に設定すれば鮮鋭性の高い映像が得られるようになる。第二フィルタ係数は、図２６（ａ）に示すように、ｎラインを中心として垂直方向に１ラインずつの３ラインにおける垂直方向に配列された映像画素に対応した元画素の相関を例えば輝度の差分で判断し、相関があるときに垂直方向に配列される３つの映像画素を１：２：１のフィルタ係数で平滑化処理することで、滑らかな映像が得られ、図２６（ｂ）に示すように、フィルタ係数（α、β、θ、ω）を相関の有無によって可変設定するものであってもよい。この場合、係数α、θは相関有のとき１に、相関無しのときに０に設定され、係数βは係数α、θの値に依存して決定される。尚、第二平滑化処理の対象データは前記抽出処理手段によって抽出された映像画素データであり、その演算対象はＲＧＢ色成分データ、ＹＵＶデータの何れであってもよい。
【０１２７】
さらに、前記第二平滑化処理手段において決定される第二フィルタ係数が、元画素データの色信号Ｃに基づいて決定されるものであってもよい。例えば、ソース信号がＮＴＳＣ方式で得られる場合、輝度信号Ｙと色信号Ｃの周波数が異なることからコンポジット信号から輝度成分を除去するバンドパスフィルタを設けて色成分を分離することができる。しかし、単にバンドパスフィルタのみでは輝度成分を完全に除去できないため、色信号Ｃがライン毎に位相が反転していることに着目してライン間で減算して平均値を求める減算回路が必要となる。この色信号の差分が所定の閾値より大であるか小であるかによりライン間の相関を判別することができる。そして、図３２に示すように、このときの相関の有無の判別にその減算回路を兼用することにより、別途の相関判定回路を設ける必要が無くなるという利点が生じる。
【０１２８】
またさらに、水平方向に配列され圧縮率に基づいて決定された所定数の隣接元画素データと、直前に抽出された映像画素データの間で輝度の差分を求める比較手段と、前記比較手段で求められた差分に基づいて前記隣接画素データの何れかを次の映像画素データとして抽出する抽出処理手段を備えて圧縮処理手段を構成してもよい。
【０１２９】
例えば、圧縮率に基づいて決定された隣接元画素データ数が２のとき、図２７（ａ），（ｂ），（ｃ）に示すように、最初の映像画素として最初に配列される左端の元画素を抽出し、当該映像画素を基準画素として２番目と３番目の２つの元画素データ（これらを同図（ｃ）では比較画素１と比較画素２と記す。）と夫々輝度を比較する。その差分が大なる画素を次の映像画素として抽出するとともに基準画素とする。図２７（ｂ）では、基準画素と比較画素１の輝度の差分が基準画素と比較画素２の輝度の差分より大であれば次の映像画素（丸で囲まれた数字２´）として比較画素１つまり２番目の画素が抽出され、基準画素と比較画素２の輝度の差分が基準画素と比較画素１の輝度の差分より大であれば次の映像画素（丸で囲まれた数字２´）として比較画素２つまり３番目の画素が抽出されることを示す。さらに、抽出された映像画素（丸で囲まれた数字２´）を基準画素として、４番目と５番目の画素（比較画素１、比較画素２とする）の輝度と夫々比較して大なる方を３番目の映像画素（丸で囲まれた数字３´）として抽出するもので、水平ラインに配列された元画素に沿って基準画素と次の２つの元画素との輝度の差分を求めるという処理を繰り返すのである。これによれば、基準画素に対する輝度の差分が大なる元画素が選択されるので、コントラストの良好な映像が得られるようになるのである。
【０１３０】
図２８（ａ）に示すように、基準画素と候補とする所定数の元画素との輝度を夫々比較し、何れもが所定の閾値以上であるときには、前述の比較工程を実施して次の映像画素を抽出し、図２８（ｂ）に示すように、一方の比較画素が所定の閾値以上で他方の比較画素が所定の閾値未満であるときには、一方の比較画素を次の映像画素として抽出し、図２８（ｃ）に示すように、何れもが所定の閾値未満であるときには、前記隣接元画素データの平均値が次の映像画素データとして抽出されるように構成することができる。この場合、基準画素に対する輝度の差分が大となる元画素が選択されるので、コントラストの良好な映像が得られるようになるとともに、輝度がそれほど変化しない元画素に対しては、平均処理を行なうことで滑らかな画像が得られるようになる。また、図２８（ｄ）に示すように、比較工程で直前に抽出された映像データと比較される前記隣接画素データ間の輝度の差分が所定の閾値未満であるときには、前記隣接画素データの平均値が次の映像画素データとして抽出されるように構成し、図２８（ｅ）に示すように、比較工程で直前に抽出された映像画素データと比較される前記隣接元画素データ間の輝度の差分が所定の閾値以上のときに比較するように構成してもよい。さらに、図２８（ｆ）に示すように、比較工程で求められた輝度の差分の差分が所定の閾値未満であるときには、前記隣接元画素データの平均値が次の映像画素データとして抽出されるように構成し、図２８（ｇ）に示すように、比較工程で求められた輝度の差分の差分が所定の閾値未満であるときには、前記所定の閾値以上のときに比較するように構成してもよい。何れの場合であっても、輝度がそれほど変化しない元画素に対しては、平均処理を行なうことで滑らかな映像が得られる。
【０１３１】
ここで、水平方向に配列され、圧縮率に基づいて決定された所定数の隣接元画素データと、直前に抽出された映像画素データの間で輝度の差分を求め、求めた差分が同一であるか、求めた差分の何れもが所定の閾値未満であるか、求めた差分の差分の何れもが所定の閾値未満であるときには、前記隣接元画素データと前記映像画素データの間で色差信号（Ｃｂ，Ｃｒ）の位相差を求める比較手段と、前記比較手段で求められた位相差が最大となる元画素データを映像画素データとして抽出する抽出処理手段を備えて圧縮処理手段を構成してもよい。
【０１３２】
さらに別の実施形態では、水平方向に配列され、圧縮率に基づいて決定された所定数の隣接元画素データと、直前に抽出された映像画素データの間で色差信号（Ｃｂ，Ｃｒ）の位相差を求める比較手段と、前記比較手段で求められた位相差に基づいて前記隣接元画素データの何れかを次の映像画素データとして抽出する抽出処理手段を備えて圧縮処理手段を構成してもよい。この方式では、図２９（ａ），（ｂ），（ｃ）に示すように、元画素の色の変化がある部分の欠落を防止することができる。尚、図中、丸で囲まれた数字２´及び３´は、図２７と同様、比較の結果、抽出された映像画素を示す記号である。
【０１３３】
この場合、図３０（ｄ）に示すように、求められた位相差が何れも所定の閾値未満であるときに、前記隣接元画素データの色差信号から求まる彩度（＝（Ｃｂ２＋Ｃｒ２）１／２）に基づいて前記隣接元画素データの何れか、例えば彩度の大なる画素が次の映像画素データとして抽出されるように構成することもできる。
【０１３４】
また、図３０（ｃ）に示すように、隣接元画素データの色差信号から求まる互いの位相差が何れも所定の閾値未満であるときに、前記隣接元画素データの色差信号から求まる彩度に基づいて前記隣接元画素データの何れかが次の映像画素データとして抽出されるように構成することも可能である。
【０１３５】
また、水平方向に配列され圧縮率に基づいて決定された所定数の隣接元画素データと、直前に抽出された映像画素データの間で色差信号から求まる彩度の差分を求める比較手段と、前記比較手段で求められた彩度の差分に基づいて前記隣接元画素データの何れかを次の映像画素データとして抽出する抽出処理手段とから圧縮処理手段を構成してもよい。この場合には、図３０（ａ）に示すように、基準画素に対して比較画素１は位相差が小さいが彩度が大きく、比較画素２は位相差が大きいが彩度が小さい場合に、彩度の大きな比較画素１を抽出することができるようになる。図３０（ｂ）に示すように、彩度に閾値を設けて閾値以上の元画素を抽出してもよいし、図３０（ｅ）に示すように、基準画素の彩度と比較画素の彩度の差分の差分を求め、その値が所定の閾値より大となる元画素を抽出するように構成してもよい。
【０１３６】
さらに、比較工程において、求められた彩度が何れも所定の閾値未満であるときに、前記隣接元画素データと直前に抽出された映像画素データの間で輝度の差分が求められ、前記抽出処理工程において、輝度の差分値に基づいて前記隣接元画素データの何れかが次の映像画素データとして抽出されるものであってもよい。
【０１３７】
上述の何れかの実施形態において、基準画素と比較画素の位相をａｒｃ  ｔａｎを用いて求める場合には、図３１（ａ）に示すようなＲＯＭや割り算回路が必要となる等、回路規模だが大きくコストが嵩む不都合がある。そこで、図３１（ｂ），（ｃ）に示すように、色差信号Ｃｂ，Ｃｒの正負の符号から位相の象限を判定し、さらにＣｂ，Ｃｒの絶対値から全体を８つに等分割することで、大まかな位相を検出することが可能になる。この方法による場合には、回路規模が大幅に縮小され、コストが低減されるようになる。
【０１３８】
上述の実施形態では、何れも圧縮方向が水平方向のものを説明したが、これに限定されるものではなく、縦方向に圧縮されるものであっても同様の処理が可能である。先の実施形態では、圧縮率が５０％に設定されたものを説明したが、圧縮率も同様にこの値に限定されるものではなく、適宜設定された圧縮率に対して適用できるものである。
【０１３９】
上述の実施形態で示した夫々の装置及び方法は本発明の作用効果をそうする限りにおいて適宜組み合わせて実現することができる。また、個々の具体的回路構成は公知の技術を用いて適宜構成されるものである。
【０１４０】
上述した実施形態では、マルチビュー表示装置として、特開２００４−２０６０８９号公報に記載されたような液晶パネルを用いた場合について説明したが、これに限定されるものではなく、特開２００３−１５５３５号公報に記載されたような構成を採用するもの等の他、有機ＥＬやプラズマディスプレイ、ＣＲＴ、ＳＥＤ等を用いて構成されたマルチビュー表示装置一般に対しても同様に適用することができる。
【０１４１】
上述した実施形態では、車両に搭載されたマルチビュー表示装置について説明したが、これに限定されるものではなく、家庭用の表示装置に適用することもできる。
【０１４２】
尚、本例では二方向のマルチビューとしたが、その他、三方向や四方向等複数の方向のマルチビューとして適用することも可能である。その場合、画素群としてはその方向の数だけ分散配置されることになる。
【図面の簡単な説明】
【０１４３】
【図１】本発明に係る表示装置の概念図
【図２】表示装置の搭載例を示す斜視図
【図３】表示部の断面構造の概略図
【図４】表示パネルを正面から見た構造の概略図
【図５】ＴＦＴ基板の概略を示す回路図
【図６】本発明に係る表示装置の概略を示すブロック図
【図７】画像出力部２１１の概略を示すブロック図
【図８】制御手段２００の概略を示すブロック図
【図９】メモリ２１８の概略を示すブロック図
【図１０】二系統の映像信号から表示部に表示される映像信号の生成手順を示す説明図
【図１１】本発明による表示装置（映像信号処理装置）のブロック構成図
【図１２】マルチビュー表示装置の説明図
【図１３】液晶パネルの説明図
【図１４】本発明による映像信号処理方法の説明図
【図１５】本発明による映像信号処理方法の説明図
【図１６】本発明による映像信号処理方法の説明図
【図１７】本発明による映像信号処理装置の要部のブロック構成図
【図１８】フローチャート
【図１９】別実施形態を示す映像信号処理方法の説明図
【図２０】別実施形態を示すフローチャート
【図２１】別実施形態を示すフローチャート
【図２２】別実施形態を示す映像信号処理方法の説明図
【図２３】別実施形態を示すフローチャート
【図２４】別実施形態を示す映像信号処理方法の説明図
【図２５】別実施形態を示す映像信号処理方法の説明図
【図２６】別実施形態を示す映像信号処理方法の説明図
【図２７】別実施形態を示す映像信号処理方法の説明図
【図２８】別実施形態を示す映像信号処理方法の説明図
【図２９】別実施形態を示す映像信号処理方法の説明図
【図３０】別実施形態を示す映像信号処理方法の説明図
【図３１】別実施形態を示す映像信号処理方法の説明図
【図３２】別実施形態を示す映像信号処理方法の説明図
【図３３】別実施形態を示す表示装置（映像信号処理装置）のブロック構成図
【符号の説明】
【０１４４】
１：第１の映像ソース、２：第２の映像ソース、３：第１の画像データ、４：第２の画像データ、５：表示制御部、６：表示データ、７：表示部、８：第１の表示画像、９：第２の表示画像、１０：観察者、１１：観察者、１２：助手席、１３：運転席、１４：ウインドシールド、１５：操作部、１６：スピーカ、
１００：液晶パネル、１０１：バックライト、１０２：偏光板、１０３：偏光板、１０４：ＴＦＴ基板、１０５：液晶層、１０６：カラーフィルタ基板、１０７：ガラス基板、１０８：視差バリア、１０９：左側（助手席側）表示用の画素、１１０：右側（運転席側）表示用の画素、１１１：表示パネル駆動部、
１１２：走査線駆動回路、１１３：データ線駆動回路、１１４：ＴＦＴ素子、１１５〜１１８：データ線、１１９〜１２１：走査線、１２２：画素電極、１２３：サブピクセル、１２４：タッチパネル、２００：制御部、２０１：ＣＤ／ＭＤ再生部、２０２：ラジオ受信部、２０３：ＴＶ受信部、２０４：ＤＶＤ再生部、２０５：ＨＤ（Hard Disk）再生部、２０６：ナビゲーション部、２０７：分配回路、２０８：第１の画像調整回路、２０９：第２の画像調整回路、２１０：音声調整回路、２１１：画像出力部、２１２：ＶＩＣＳ情報受信部、２１３：ＧＰＳ情報受信部、２１４：セレクタ、２１５：操作部、２１６：リモコン送受信部、２１７：リモコン、２１８：メモリ、２１９：外部音声／映像入力部、２２０：カメラ、２２１：明るさ検知手段、２２２：乗員検知手段、２２３：リア表示部、２２４：ＥＴＣ車載器、２２５：通信ユニット、２２６：第１の書込回路、
２２７：第２の書込回路、２２８：ＶＲＡＭ（Video RAM）、２２９：インターフェース、２３０：ＣＰＵ、２３１：記憶部、２３２：データ記憶部、２３３：第１の画面ＲＡＭ、２３４：第２の画面ＲＡＭ２３４、２３５：画質設定情報記憶手段、２３６：対環境調整値保持手段、３２５：マルチビュー表示装置、３４０：映像信号処理装置、３４１：映像信号出力手段、３４２：抽出処理手段、３４３：平滑化処理手段、３４４：ソース信号選択出力手段、３４５：操作部（モード切替手段）、３４６：圧縮処理手段
【図５】
2006154756.tif 000003
【図６】
2006154756.tif 000004
【図７】
2006154756.tif 000005
【図８】
2006154756.tif 000006
【図９】
2006154756.tif 000007
【図１０】
2006154756.tif 000008
【図１１】
2006154756.tif 000009
【図１２】
2006154756.tif 000010
【図１３】
2006154756.tif 000011
【図１７】
2006154756.tif 000012
【図１８】
2006154756.tif 000013
【図２０】
2006154756.tif 000014
【図２１】
2006154756.tif 000015
【図２３】
2006154756.tif 000016
【図２６】
2006154756.tif 000017
【図２７】
2006154756.tif 000018
【図２８】
2006154756.tif 000019
【図３０】
2006154756.tif 000020
【図３１】
2006154756.tif 000021
【図３２】
2006154756.tif 000022
【図３３】
2006154756.tif 000023
【図１】
2006154756.tif 000024
【図２】
2006154756.tif 000025
【図３】
2006154756.tif 000026
【図４】
2006154756.tif 000027
【図１４】
2006154756.tif 000028
【図１５】
2006154756.tif 000029
【図１６】
2006154756.tif 000030
【図１９】
2006154756.tif 000031
【図２２】
2006154756.tif 000032
【図２４】
2006154756.tif 000033
【図２５】
2006154756.tif 000034
【図２９】
2006154756.tif 000035